(57)【要約】【課題】  光学系の設計自由度を増大させ、より高度な光学性能を実現する。【解決手段】  眼科装置が、眼科装置本体（１２、２１２）と光源ユニット（１４、１１４）を有する。前記眼科装置本体（１２、２１２）が、照明光を被検眼（Ｅ）に照明する照明手段（１６）と、前記被検眼（Ｅ）からの反射光を観察する観察手段（１８、２１８）とを有する。前記光源ユニット（１４、１１４）が、所定の波長を有する治療光を発生する光源手段（４０、１４０）と、前記光源手段（４０、１４０）から発生した治療光を前記被検眼（Ｅ）の所望部位に導光して照射する導光手段（４２、１４２）と、筐体（５２）とを有する。前記光源手段（４０、１４０）と前記導光手段（４２、１４２）が前記筐体（５２）内に一体的に内蔵されており、治療光が、前記光源手段（４０、１４０）から前記導光手段（４２、１４２）に直接入光する。【選択図】  図３
2005334232.tif 000002
【特許請求の範囲】
【請求項１】
（Ａ）眼科装置本体（１２、２１２）と光源ユニット（１４、１１４）を有し、
（Ｂ）前記眼科装置本体（１２、２１２）が、
照明光を被検眼（Ｅ）に照明する照明手段（１６）と、
前記被検眼（Ｅ）からの反射光を観察する観察手段（１８、２１８）とを有し、
（Ｃ）前記光源ユニット（１４、１１４）が、
所定の波長を有する治療光を発生する光源手段（４０、１４０）と、
前記光源手段（４０、１４０）から発生した治療光を前記被検眼（Ｅ）の所望部位に導光する導光手段（４２、１４２）と、
前記光源手段（４０、１４０）および前記導光手段（４２、１４２）を内蔵する筐体（５２）とを有し、
（Ｄ）前記筐体（５２）内において、前記光源手段（４０、１４０）から直接前記導光手段（４２、１４２）に治療光が入光する眼科装置。
【請求項２】
前記光源ユニット（１４、１１４）が、前記眼科装置本体（１２、２１２）に対して着脱自在に構成されていることを特徴とする請求項１に記載の眼科装置。
【請求項３】
前記光源ユニット（１４、１１４）と前記眼科装置本体（１２、２１２）との接合部（５６、２５６）を、バヨネット式に構成して着脱自在にしたことを特徴とする請求項２に記載の眼科装置。
【請求項４】
前記光源手段（４０、１４０）が、半導体励起固体レーザで構成されていることを特徴とする請求項１〜３のいずれか１項に記載の眼科装置。
【請求項５】
前記導光手段（４２、１４２）が、レンズ群（４６、４８、５０）を有し、前記光源手段（４０、１４０）から発生した治療光が、レンズ群（４６、４８、５０）に直接入光することを特徴とする請求項１〜４のいずれか１項に記載の眼科装置。
【請求項６】
前記眼科装置本体（１２、２１２）が鏡筒（３８、２３８）を有し、前記筐体（５２）の端部（５４）が前記鏡筒（３８、２３８）の側面部分（３８ａ、２３８ａ）に着脱自在に構成されていることを特徴とする請求項２〜５のいずれか１項に記載の眼科装置。
【発明の詳細な説明】
【技術分野】
【０００１】
本発明は、眼科装置に関する。
【背景技術】
【０００２】
従来から、被検眼に照射光を照射して光凝固治療等を行う眼科装置が知られている。
【０００３】
このような光治療装置において使用される照射光は、眼内等の人体に対して用いられることから、人体への安全確保のため所定の条件が定められている。例えば、眼底にスポットを照射する場合、角膜を通過する際の照射光のエネルギー密度は角膜への影響が少ないことが確認されている低い値であることが必要である。
【０００４】
また、通常この様な眼科装置は、照射光としてレーザ光を照射する光源手段と、照射されたレーザ光を導光する導光光学系（導光手段）を有しており、光源手段と導光手段は光ファイバを介して別体に設けるのが一般的である。
【０００５】
特許文献１〜３には、このような従来の眼科装置が示されている。
【特許文献１】特許第２０１８０４６号公報
【特許文献２】特公平６−９１８９２号公報
【特許文献３】特開２００２−２５３５９８号公報
【発明の開示】
【発明が解決しようとする課題】
【０００６】
しかしながら、従来の眼科装置は、光源手段と導光手段が別体に設けられていたため、例えば光ファイバにより、これらを接続した場合は、以下のように総合伝達効率が低下していた。
【０００７】
光ファイバの伝達効率       ７０〜８０％
スリットランプの伝達効率    ７０〜８０％
→  総合伝達効率：５０〜６０％
従って、照射光の伝達効率を所望の値にするためには、損失を考慮して、高出力の光源を使用する必要があった。
【０００８】
一方、エネルギー密度を低くするために、光束を太くすると、虹彩によるケラレが生じてしまう。
【０００９】
従って、照射スポット径を予め仕様で決めた場合、ＮＡ値の範囲も必然的に決まることとなる。特に光ファイバを用いる場合、光ファイバのコア径に対しスポット径が大きくなるため、照射光学系は拡大系となり、ＮＡの条件が厳しくなることから、光学系の設計の自由度はほとんど無くなってしまう傾向がある。
【００１０】
そこで、本発明は、光学系の設計自由度を増大させ、より高度な光学性能を実現できる眼科装置を提供することを目的としている。
【課題を解決するための手段】
【００１１】
本発明の解決手段を例示すると、以下のとおりである。
【００１２】
（１）（Ａ）眼科装置本体（１２、２１２）と光源ユニット（１４、１１４）を有し、
（Ｂ）前記眼科装置本体（１２、２１２）が、
照明光を被検眼（Ｅ）に照明する照明手段（１６）と、
前記被検眼（Ｅ）からの反射光を観察する観察手段（１８、２１８）とを有し、
（Ｃ）前記光源ユニット（１４、１１４）が、
所定の波長を有する治療光を発生する光源手段（４０、１４０）と、
前記光源手段（４０、１４０）から発生した治療光を前記被検眼（Ｅ）の所望部位に導光する導光手段（４２、１４２）と、
前記光源手段（４０、１４０）および前記導光手段（４２、１４２）を内蔵する筐体（５２）とを有し、
（Ｄ）前記筐体（５２）内において、前記光源手段（４０、１４０）から直接前記導光手段（４２、１４２）に治療光が入光する眼科装置。
【００１３】
（２）  前記光源ユニット（１４、１１４）が前記眼科装置本体（１２、２１２）に対して着脱自在に構成されていることを特徴とする前述の眼科装置。
【００１４】
（３）  前記光源ユニット（１４、１１４）と前記眼科装置本体（１２、２１２）との接合部（５６、２５６）を、バヨネット式に構成して着脱自在にしたことを特徴とする前述の眼科装置。
【００１５】
（４）  前記光源手段（４０、１４０）が、半導体励起固体レーザで構成されていることを特徴とする前述の眼科装置。
【００１６】
（５）  前記導光手段（４２、１４２）が、レンズ群（４６、４８、５０）を有し、前記光源手段（４０、１４０）から発生した治療光が、レンズ群（４６、４８、５０）に直接入光することを特徴とする前述の眼科装置。
【００１７】
（６）  前記眼科装置本体（１２、２１２）が鏡筒（３８、２３８）を有し、筐体（５２）の端部（５４）が前記鏡筒（３８、２３８）の側面部分（３８ａ、２３８ａ）に着脱自在に構成されていることを特徴とする前述の眼科装置。
【発明の効果】
【００１８】
本発明によれば、光学系の設計自由度を増大させ、より高度な光学性能を実現することができる。
【００１９】
とくに、本発明は以下の効果を奏する。
【００２０】
光ファイバを使用しない場合の光学上の効果
（１）  本発明によれば、伝達効率の高効率化が可能となる。とくに、照射光の伝達効率を７０〜８０％とすることができる。従来、接続のために用いていた光ファイバによる損失をなくすことができる。光学系自体の高効率化によりスポット側で求められるパワーを確保した上で、より低出力の光源を使用することが可能となる。
【００２１】
（２）  光源を最大出力の状態で使用すると、寿命が著しく短くなる傾向があることから、光源を低出力で使用することで光源の寿命を延ばすことが出来る。
【００２２】
（３）  光ファイバの光学的特性の限界に起因する、照射光学系及び対物系の仕様上の制限が実質的に無くなる。
【００２３】
（４）  照明光学系の設計自由度が増し、高倍率ズーム化が可能となる。
【００２４】
光ファイバを使用しない場合の構造上の効果
操作性及び安全性を向上できる。具体的には次のとおりである。
【００２５】
（１）  光ファイバが存在しないため、装置の操作中は患部に集中することが出来る。
【００２６】
（２）  光ファイバが患者に当たってしまうことによるトラブルを防止できる。
【００２７】
（３）  光ファイバが引っかかることによるトラブルを防止できる。
【００２８】
（４）  光ファイバの破損（折れ、端面損傷）が生じる恐れが無くなる。
【００２９】
（５）  装置が転倒する危険性が減少する。
【００３０】
（６）  ファイバが太いと、操作性や安全性、装置の安定性に気を使う必要があったが、本発明では、これに気を使う必要が無くなる。
【００３１】
（７）  ファイバが細いと、目立たないため、注意する必要があったが、本発明ではこれに注意する必要が無くなる。
【００３２】
（８）  光学系の小型軽量化が可能である。
【００３３】
（９）  眼科装置本体の取り回しが楽に行えるようになる。
【００３４】
また、光源ユニット（光源手段＋導光手段）を眼科装置本体に対して着脱自在に構成すれば、以下の効果が得られる。
【００３５】
（１）  光源における出力の選択肢が多様になる。種々の光源手段を内蔵した多数の光源ユニットを予め用意しておき、各治療に適した波長の光源のユニットを選択するようにできる。
【００３６】
（２）  その場合、レーザ光源の種類を最適な照射系と併せて容易に選択して、交換できるため、光源の種類（波長、出力）に応じて最適な設定が調整等の手間を要することなく容易に可能となり、高性能を発揮することが可能となる。すなわち、波長が異なることによる光学系の調整を全く不要としながら、光源の波長に応じた最高の性能を常に発揮できる。
【００３７】
（３）  光源ユニットの外部面に、光源の仕様、あるいはそれに応じた表示（波長に応じた色、出力に応じた大きさ、スポット径に応じた形状等の表示）をすれば、交換時の間違いを防止でき、安全な治療が可能となる。
【００３８】
（４）  接合部をバヨネット式で構成すれば、着脱が容易となる。
【発明を実施するための最良の形態】
【００３９】
本発明の眼科装置は、眼科装置本体と、それに着脱自在な光源ユニットを有する。
【００４０】
眼科装置本体は、照明光を被検眼に照明する照明手段と、被検眼からの反射光を観察する観察手段とを有する。光源ユニットは、所定の波長を有する治療光を発生する光源手段と、光源手段から発生した治療光を前記被検眼の所望部位に導光する導光手段と、筐体とを有する。
【００４１】
光源手段と導光手段が筐体内に一体的に内蔵されている。
【００４２】
光源ユニットが眼科装置本体に対して光学系の光軸を合わせた状態で着脱自在に構成されているのが好ましい。とくに、光源ユニットと眼科装置本体の接合部を、バヨネット式で構成して着脱自在にするのが好ましい。例えば、光源ユニットと眼科装置本体の間に、突起とその突起に嵌合する穴を設けて接合する構成が好ましい。
【００４３】
なお、光源ユニットと眼科装置本体の接合部には他の着脱機構も採用できる。
【００４４】
光源手段が、半導体励起固体レーザで構成されているのが好ましい。
【００４５】
また、導光手段がレンズ群を有し、光源手段から発生した治療光が、レンズ群に直接的に照射される構成が好ましい。
【００４６】
また、眼科装置本体が鏡筒を有し、筐体の端部がその鏡筒の側面部分に着脱自在に構成されるのが好ましい。
【００４７】
以下、図面を参照して本発明の好適な実施例１〜２を説明する。
【実施例１】
【００４８】
図１は、本発明による眼科装置の光学系の一例を示す。図４は、図１の眼科装置の正面図である。図５は、図１の眼科装置の側面図である。
【００４９】
眼科装置１０は、被検眼Ｅの角膜等にレーザ治療を行う装置である。眼科装置１０は、眼科装置本体１２と、そこに着脱自在に装着される光源ユニット１４を有する。
【００５０】
眼科装置本体１２は、照明手段１６と観察手段１８を有する。
【００５１】
照明手段１６は、ハロゲンランプ等の光源２０、集光レンズ２２、スリット２４、反射照明ミラー２６等を有する。照明手段１６は、光源２０から照明される照明光を、集光レンズ２２及びスリット２４を介して、反射照明ミラー２６で反射させて被検眼Ｅに照明するようになっている。
【００５２】
観察手段１８は、対物レンズ２８、ハーフミラー３０、リレーレンズ３２、プリズム３４、接眼レンズ３６等を有する。観察手段１８は、被検眼Ｅの像を検者眼（図示省略）により観察するためのものである。なお、対物レンズ２８、ハーフミラー３０、及びリレーレンズ３２は、鏡筒３８内に収納されている。鏡筒３８の上側面部分３８ａに光源ユニット１４が装着されるようになっている。
【００５３】
光源ユニット１４は、光源手段４０、導光手段４２、筐体５２を有する。
【００５４】
光源手段４０は、レーザ光源４４を有する。レーザ光源４４は、半導体励起固体レーザで構成されていて、所定の波長を有する照射光を照射する。
【００５５】
なお、レーザ光源４４のための電源用及び制御用の配線（図示省略）は、患者や術者に接触することの無い位置に設定するのが好ましい。
【００５６】
導光手段４２は、リレーレンズ４６、変倍光学系４８、対物レンズ５０を有する。リレーレンズ４６、変倍光学系４８、対物レンズ５０は、レンズ群を構成している。導光手段４２により、レーザ光源４４からのレーザ光がリレーレンズ４６、変倍光学系４８、対物レンズ５０を介して被検眼Ｅに導光されるようになっている。
【００５７】
光源手段４０と導光手段４２は、筐体５２内に一体的に内蔵されている。このため、レーザ光源４４からのレーザ光は、従来のように光ファイバを介することなく、導光手段４２により直接被検眼Ｅに導光されて照射可能である。
【００５８】
筐体５２のレーザ光源４４と反対側の端部５４と鏡筒３８の上側面部分３８ａは、バヨネット式の接合部５６として構成されている。すなわち、光源ユニット１４が眼科装置本体１２に対して光学系の光軸を合わせた状態で着脱自在に構成されている。端部５４と上側面部分３８ａの間に突起と突起に嵌合する穴等を設けて光軸を合わせる構成が好ましい。
【００５９】
図３は、光源ユニット１４を別の光源ユニット１１４に交換する状態を示す。
【００６０】
光源ユニット１１４のレーザ光源１４４は、光源ユニット１４のレーザ光源４４とは異なる波長を有する照射光を照射する。光源ユニット１１４は、レーザ光源１４４の種類（波長、出力）に応じた最適な設定がされており、調整等の手間を要することなく高性能を発揮することが可能になっている。
【００６１】
なお、光源手段１４０、導光手段１４２、リレーレンズ１４６、変倍光学系１４８、対物レンズ１５０は、上記以外は光源ユニット１４の対応する部分と基本的に同じであるので、その説明を省略する。
【実施例２】
【００６２】
図２は、本発明による眼科装置の光学系の別の例を示す。図６は、図２の眼科装置の正面図を示す。図７は図２の眼科装置の側面図を示す。なお、前述の実施例１と同じ部材には同じ参照符号を付してその説明を省略する。
【００６３】
眼科装置２１０は、被検眼Ｅの角膜等にレーザ治療を行う装置である。眼科装置２１０は、眼科装置本体２１２と、それに対して着脱自在に装着する光源ユニット１４を有する。
【００６４】
眼科装置本体２１２は、照明手段１６と観察手段２１８を有する。
【００６５】
観察手段２１８は、対物レンズ２８、ハーフミラー２３０、リレーレンズ３２、プリズム３４、接眼レンズ３６等を有する。観察手段２１８は、被検眼Ｅの像を検者眼（図示省略）により観察するようになっている。
【００６６】
なお、対物レンズ２８、ハーフミラー２３０、及びリレーレンズ３２は、鏡筒２３８内に収納されている。鏡筒２３８の下側面部分２３８ａに光源ユニット１４が装着されるようになっている。
【００６７】
筐体５２のレーザ光源４４と反対側の端部５４と鏡筒２３８の下側面部分２３８ａは、バヨネット式の接合部２５６として構成されている。すなわち、光源ユニット１４が、眼科装置本体２１２に対して光学系の光軸を合わせた状態で着脱自在に構成されている。端部５４と下側面部分２３８ａの間に突起と突起に嵌合する穴を設けて光軸を合わせる構成が好ましい。
【００６８】
なお、本発明は図示された実施例に限定されない。
【図面の簡単な説明】
【００６９】
【図１】本発明による眼科装置の光学系の一例を示す。
【図２】本発明による眼科装置の光学系の別の例を示す。
【図３】図１の光源ユニットを別の光源ユニットに交換する状態を示す。
【図４】図１の眼科装置の正面図を示す。
【図５】図１の眼科装置の側面図を示す。
【図６】図２の眼科装置の正面図を示す。
【図７】図２の眼科装置の側面図を示す。
【符号の説明】
【００７０】
１０、２１０  眼科装置
１２、２１２  眼科装置本体
１４、１１４  光源ユニット
１６  照明手段
１８、２１８  観察手段
２０  光源
２２  集光レンズ
２４  スリット
２６  反射照明ミラー
２８、５０、１５０  対物レンズ
３０、２３０  ハーフミラー
３２、４６、１４６  リレーレンズ
３４  プリズム
３６  接眼レンズ
３８、２３８  鏡筒
３８ａ、２３８ａ  側面部分
４０、１４０  光源手段
４２、１４２  導光手段
４４、１４４  レーザ光源
４８、１４８  変倍光学系
５２  筐体
５４  端部
５６、２５６  接合部
【図１】
2005334232.tif 000003
【図２】
2005334232.tif 000004
【図３】
2005334232.tif 000005
【図４】
2005334232.tif 000006
【図５】
2005334232.tif 000007
【図６】
2005334232.tif 000008
【図７】
2005334232.tif 000009